(57)【要約】【課題】交流電圧により電磁接触器を駆動する場合において、停電等の異常発生時でも適切に電磁接触器を駆動することが可能な無停電電源装置を提供する。【解決手段】この無停電電源装置１００は、交流電力を負荷１０１に供給し、主交流入力電源１ａを含む交流電源部１と、交流電源部１と負荷１０１との間に設けられ、励磁されることによりオンオフが切り替えられる電磁接触器７（電磁接触器７ａおよび７ｂ）と、を備える。さらに、無停電電源装置１００は、主交流入力電源１ａからの交流電圧、または、インバータ４からの交流電圧のうちのいずれかによって電磁接触器７ａを励磁するかを切り替えるインバータ側切替部８ａと、主交流入力電源１ａからの交流電圧、または、バイパス交流入力電源１ｂからの交流電圧のうちのいずれかによって電磁接触器７ｂを励磁するかを切り替えるバイパス側切替部８ｂと、を備える。【選択図】図１
2019033588.tif 000002
【特許請求の範囲】
【請求項１】
交流電力を負荷に供給し、主交流入力電源を含む交流電源部と、
前記交流電源部と前記負荷との間に設けられ、励磁されることによりオンオフが切り替えられる電磁接触器と、
前記主交流入力電源からの第１交流電圧、または、前記第１交流電圧とは独立して供給可能な第２交流電圧のうちのいずれかによって前記電磁接触器を励磁するかを切り替える第１切替部と、を備える、無停電電源装置。
【請求項２】
前記第１切替部は、１以上の切替リレーを含み、
前記切替リレーにより、前記第１交流電圧と前記第２交流電圧のうちいずれか一方によって前記電磁接触器を励磁するかを切り替える、請求項１に記載の無停電電源装置。
【請求項３】
前記第１切替部は、第１切替リレーと、第２切替リレーとを含み、
前記第１切替リレーをオンするとともに前記第２切替リレーをオフすることによって、前記第１交流電圧、および、前記第２交流電圧のうちのいずれか一方により前記電磁接触器を励磁し、前記第１切替リレーをオフするとともに前記第２切替リレーをオンすることによって、前記第１交流電圧、および、前記第２交流電圧のうちの他方により前記電磁接触器を励磁するように構成されている、請求項２に記載の無停電電源装置。
【請求項４】
前記第１切替リレーおよび前記第２切替リレーは、共通の第１駆動電圧切替信号または共通の第２駆動電圧切替信号に基づいて駆動され、
前記第１切替リレーは、前記第１駆動電圧切替信号に基づいて励磁されることによりオフするとともに、前記第２駆動電圧切替信号に基づいて消磁されることによりオンし、
前記第２切替リレーは、前記第１駆動電圧切替信号に基づいて励磁されることによりオンするとともに、前記第２駆動電圧切替信号に基づいて消磁されることによりオフするように構成されている、請求項３に記載の無停電電源装置。
【請求項５】
前記第１切替リレーが前記第１駆動電圧切替信号に基づいて励磁される時間から所定の第１ずらし時間後に、前記第２切替リレーは前記第１駆動電圧切替信号に基づいて励磁されるように構成されている、請求項４に記載の無停電電源装置。
【請求項６】
前記電磁接触器は、常時励磁式の電磁接触器であり、
前記所定の第１ずらし時間は、前記第１切替リレーが前記第１駆動電圧切替信号に基づいて励磁されることによりオフ状態に切り替わる時間と前記第２切替リレーが前記第１駆動電圧切替信号に基づいて励磁されることによりオン状態に切り替わる時間との間の時間が、前記常時励磁式の電磁接触器が励磁状態から消磁状態に変化してからオフ状態に切り替わるまでの復帰時間よりも短くなるように設定されている、請求項５に記載の無停電電源装置。
【請求項７】
前記第２切替リレーが前記第２駆動電圧切替信号に基づいて消磁される時間から所定の第２ずらし時間後に、前記第１切替リレーは前記第２駆動電圧切替信号に基づいて消磁されるように構成されている、請求項４〜６のいずれか１項に記載の無停電電源装置。
【請求項８】
前記第１切替リレーと前記第２切替リレーとは、前記主交流入力電源からの前記第１交流電圧、または、前記第１交流電圧とは独立して供給可能な前記第２交流電圧のうちのいずれかによって前記電磁接触器を励磁するかを切り替える際に、いずれもオフ状態となる期間が設定されている、請求項３〜７のいずれか１項に記載の無停電電源装置。
【請求項９】
前記第１切替部と前記電磁接触器との間の通電状態を切り替える第２切替部をさらに備える、請求項１〜８のいずれか１項に記載の無停電電源装置。
【請求項１０】
前記交流電源部は、バイパス交流入力電源をさらに含み、
前記電磁接触器は、前記主交流入力電源と前記負荷との間に設けられる第１電磁接触器と、前記バイパス交流入力電源と前記負荷との間に設けられる第２電磁接触器とを含み、
直流電力を蓄電する蓄電部と、
前記蓄電部からの直流電力を交流電力に変換する電力変換器と、をさらに備え、
前記第１切替部は、前記主交流入力電源からの前記第１交流電圧、または、前記電力変換器からの交流電圧としての前記第２交流電圧のうちのいずれかによって前記第１電磁接触器を励磁するかを切り替える電力変換器側切替部と、前記主交流入力電源からの前記第１交流電圧、または、前記バイパス交流入力電源からの交流電圧としての前記第２交流電圧のうちのいずれかによって前記第２電磁接触器を励磁するかを切り替えるバイパス側切替部とを含む、請求項１〜９のいずれか１項に記載の無停電電源装置。
【発明の詳細な説明】
【技術分野】
【０００１】
この発明は、無停電電源装置に関し、特に、電磁接触器を備える無停電電源装置に関する。
【背景技術】
【０００２】
従来、制御電源を生成する無停電電源装置が知られている（たとえば、特許文献１参照）。
【０００３】
上記特許文献１の無停電電源装置は、負荷に電力を供給する商用系統電源を備える。商用系統電源と負荷との間には、コンバータおよびインバータが設けられている。コンバータとインバータとの間には、蓄電池が設けられている。また、コンバータ、インバータ、および、蓄電池が設けられている経路とは別の経路上には、交流電力を直流電力に変換する整流器が設けられている。上記無停電電源装置には、商用系統電源の交流電力から整流器により直流電力を生成する直流電源と、蓄電池等からなる直流電源とが設けられている。そして、上記の２つの直流電源からの出力を突き合せることにより制御電源が生成されている。このように構成されることにより、上記無停電電源装置の通常運転時には、商用系統電源（整流器）側からの直流電源（直流電力）が制御電源として使用され、バックアップ運転時には、蓄電池側からの直流電源（直流電力）が制御電源として使用される。
【０００４】
一般的に、負荷への電力の供給を制御するために、商用系統電源と負荷との間には、電磁接触器が設けられる場合がある。さらに、インバータの故障時等に負荷への電力供給を行うバイパス交流電源が設けられている場合には、バイパス交流電源と負荷との間にも電磁接触器が設けられる場合がある。上記特許文献１に記載の無停電電源装置に電磁接触器が設けられた場合には、生成された制御電源（直流電圧）により電磁接触器を励磁（消磁）して、電磁接触器のオンオフを制御することが考えられる。
【先行技術文献】
【特許文献】
【０００５】
【特許文献１】特開２００８−２８３７８８号公報
【発明の概要】
【発明が解決しようとする課題】
【０００６】
ここで、一般的に、直流電圧に代えて交流電圧により電磁接触器を駆動する場合がある。交流電圧により電磁接触器を駆動する無停電電源装置では、停電等の異常が発生した場合において、交流電源（商用交流電源またはバイパス交流電源）が交流電圧を供給することができなくなる場合がある。この場合、電磁接触器に交流電圧が印加されなくなるため、電磁接触器を適切に制御することが困難になるという問題点がある。
【０００７】
この発明は、上記のような課題を解決するためになされたものであり、この発明の１つの目的は、交流電圧により電磁接触器を駆動する場合において、停電等の異常発生時でも適切に電磁接触器を駆動することが可能な無停電電源装置を提供することである。
【課題を解決するための手段】
【０００８】
上記目的を達成するために、この発明の一の局面による無停電電源装置は、交流電力を負荷に供給し、主交流入力電源を含む交流電源部と、交流電源部と負荷との間に設けられ、励磁されることによりオンオフが切り替えられる電磁接触器と、主交流入力電源からの第１交流電圧、または、第１交流電圧とは独立して供給可能な第２交流電圧のうちのいずれかによって電磁接触器を励磁するかを切り替える第１切替部と、を備える。
【０００９】
この発明の一の局面による無停電電源装置では、上記のように、主交流入力電源からの第１交流電圧、または、第１交流電圧とは独立して供給可能な第２交流電圧のうちのいずれかによって電磁接触器を励磁するかを切り替えるように構成されている。これにより、停電等により、第１交流電圧および第２交流電圧のうちのいずれか一方による電磁接触器への電圧供給ができなくなった場合でも、第１交流電圧および第２交流電圧のうちの他方により電磁接触器への電圧供給を行うことができる。その結果、停電等の異常発生時において、第１交流電圧および第２交流電圧のうちのいずれか一方による電磁接触器への電圧供給ができなくなった場合でも、適切に電磁接触器を駆動（励磁）することができる。
【００１０】
上記一の局面による無停電電源装置において、好ましくは、第１切替部は、１以上の切替リレーを含み、上記切替リレーにより、第１交流電圧と第２交流電圧のうちいずれか一方によって電磁接触器を励磁するかを切り替える。このように構成すれば、上記切替リレーによって、第１交流電圧および第２交流電圧のうちのいずれかによって電磁接触器を駆動（励磁）するかを容易に切り替えることができる。
【００１１】
この場合、好ましくは、第１切替部は、第１切替リレーと、第２切替リレーとを含み、第１切替リレーをオンするとともに第２切替リレーをオフすることによって、第１交流電圧、および、第２交流電圧のうちのいずれか一方により電磁接触器を励磁し、第１切替リレーをオフするとともに第２切替リレーをオンすることによって、第１交流電圧、および、第２交流電圧のうちの他方により電磁接触器を励磁するように構成されている。このように構成すれば、第１切替リレーおよび第２切替リレーによって、第１交流電圧および第２交流電圧のうちのいずれかによって電磁接触器を駆動（励磁）するかを容易に切り替えることができる。
【００１２】
上記第１切替部が第１切替リレーと第２切替リレーとを含む無停電電源装置において、好ましくは、第１切替リレーおよび第２切替リレーは、共通の第１駆動電圧切替信号または共通の第２駆動電圧切替信号に基づいて駆動され、第１切替リレーは、第１駆動電圧切替信号に基づいて励磁されることによりオフするとともに、第２駆動電圧切替信号に基づいて消磁されることによりオンし、第２切替リレーは、第１駆動電圧切替信号に基づいて励磁されることによりオンするとともに、第２駆動電圧切替信号に基づいて消磁されることによりオフするように構成されている。このように構成すれば、共通の第１駆動電圧切替信号または共通の第２駆動電圧切替信号に基づいて、第１切替リレーおよび第２切替リレーのうちのいずれか一方をオンするとともに他方をオフすることができる。その結果、第１切替リレーおよび第２切替リレーのそれぞれを別個の駆動電圧切替信号に基づいて制御する場合に比べて、第１切替リレーおよび第２切替リレーの切り替え制御を簡略化することができる。
【００１３】
この場合、好ましくは、第１切替リレーが第１駆動電圧切替信号に基づいて励磁される時間から所定の第１ずらし時間後に、第２切替リレーは第１駆動電圧切替信号に基づいて励磁されるように構成されている。ここで、一般的に、励磁されてからオンオフが切り替わるまでにかかる時間には、切替リレー間で個体差がある。たとえば、第１ずらし時間が設けられていない場合で、かつ、第１切替リレーが第１駆動電圧切替信号に基づいて励磁されてからオフされるまでの時間が、第２切替リレーが第１駆動電圧切替信号に基づいて励磁されてからオンされるまでの時間よりも長い場合において、第１切替リレーおよび第２切替リレーの両方がオン状態になる時間が生じる。したがって、第１ずらし時間が設けられることによって、第１切替リレーおよび第２切替リレーの両方がオン状態になるのを抑制することができる。これにより、第１交流電圧の電圧源と第２交流電圧の電圧源とが短絡して横流が流れるのを抑制することができる。
【００１４】
上記第１切替リレーが励磁される時間から所定の第１ずらし時間後に第２切替リレーが励磁される無停電電源装置において、好ましくは、電磁接触器は、常時励磁式の電磁接触器であり、所定の第１ずらし時間は、第１切替リレーが第１駆動電圧切替信号に基づいて励磁されることによりオフ状態に切り替わる時間と第２切替リレーが第１駆動電圧切替信号に基づいて励磁されることによりオン状態に切り替わる時間との間の時間が、常時励磁式の電磁接触器が励磁状態から消磁状態に変化してからオフ状態に切り替わるまでの復帰時間よりも短くなるように設定されている。ここで、第１切替リレーがオフ状態に切り替わる時間と第２切替リレーがオン状態に切り替わる時間との間において、常時励磁式の電磁接触器には電圧が印加されていない状態（消磁状態）になる。すなわち、第１切替リレーがオフ状態に切り替わる時間と第２切替リレーがオン状態に切り替わる時間との間の時間が上記復帰時間よりも長い場合には、第２切替リレーがオン状態に切り替わる時点において常時励磁式の電磁接触器はオフ状態になっている。したがって、第１切替リレーがオフ状態に切り替わる時間と第２切替リレーがオン状態に切り替わる時間との間が上記復帰時間よりも短くなるように所定の第１ずらし時間を設定することによって、第２切替リレーがオン状態に切り替わる時点において常時励磁式の電磁接触器がオフ状態になるのを抑制することができる。これにより、常時励磁式の電磁接触器のオンオフ状態をより適切に制御することができるので、負荷への電力供給をより適切に行うことができる。
【００１５】
上記第１切替リレーおよび第２切替リレーが共通の第１駆動電圧切替信号または共通の第２駆動電圧切替信号に基づいて駆動される無停電電源装置において、好ましくは、第２切替リレーが第２駆動電圧切替信号に基づいて消磁される時間から所定の第２ずらし時間後に、第１切替リレーは第２駆動電圧切替信号に基づいて消磁されるように構成されている。ここで、一般的に、消磁されてからオンオフが切り替わるまでにかかる時間には、切替リレー間で個体差がある。たとえば、第２ずらし時間が設けられていない場合で、かつ、第２切替リレーが第２駆動電圧切替信号に基づいて消磁されてからオフされるまでの時間が、第１切替リレーが第２駆動電圧切替信号に基づいて消磁されてからオンされるまでの時間よりも長い場合において、第１切替リレーおよび第２切替リレーの両方がオン状態になる時間が生じる。したがって、第２ずらし時間が設けられることによって、第１切替リレーおよび第２切替リレーの両方がオン状態になるのを抑制することができる。
【００１６】
上記第１切替部が第１切替リレーと第２切替リレーとを含む無停電電源装置において、好ましくは、第１切替リレーと第２切替リレーとは、主交流入力電源からの第１交流電圧、または、第１交流電圧とは独立して供給可能な第２交流電圧のうちのいずれかによって電磁接触器を励磁するかを切り替える際に、いずれもオフ状態となる期間が設定されている。このように構成すれば、第１切替リレーおよび第２切替リレーの両方がオン状態になるのを容易に抑制することができるので、第１交流電圧の電圧源と第２交流電圧の電圧源とが短絡して横流が流れるのを容易に抑制することができる。
【００１７】
上記一の局面による無停電電源装置において、好ましくは、第１切替部と電磁接触器との間の通電状態を切り替える第２切替部をさらに備える。このように構成すれば、第２切替部のオンオフを制御することにより、電磁接触器の状態（励磁状態または消磁状態）を容易に切り替えることができる。また、第２切替部により、電磁接触器の駆動（励磁状態）を制御する回路（第１切替部）と無停電電源装置の主回路とをより確実に絶縁することができる。
【００１８】
上記一の局面による無停電電源装置において、好ましくは、交流電源部は、バイパス交流入力電源をさらに含み、電磁接触器は、主交流入力電源と負荷との間に設けられる第１電磁接触器と、バイパス交流入力電源と負荷との間に設けられる第２電磁接触器とを含み、直流電力を蓄電する蓄電部と、蓄電部からの直流電力を交流電力に変換する電力変換器と、をさらに備え、第１切替部は、主交流入力電源からの第１交流電圧、または、電力変換器からの交流電圧としての第２交流電圧のうちのいずれかによって第１電磁接触器を励磁するかを切り替える電力変換器側切替部と、主交流入力電源からの第１交流電圧、または、バイパス交流入力電源からの交流電圧としての第２交流電圧のうちのいずれかによって第２電磁接触器を励磁するかを切り替えるバイパス側切替部とを含む。このように構成すれば、電力変換器側切替部により、主交流入力電源の停電時等において、蓄電部の電力を用いて出力される電力変換器からの交流電圧により第１電磁接触器を駆動（励磁）することができる。また、バイパス側切替部により、バイパス交流入力電源と第２電磁接触器との間の配線間に異常があり、バイパス交流入力電源の交流電圧が第２電磁接触器に印加されない場合において、主交流入力電源からの交流電圧により第２電磁接触器を駆動（励磁）することができる。
【発明の効果】
【００１９】
本発明によれば、上記のように、交流電圧により電磁接触器を駆動する場合において、停電等の異常発生時でも適切に電磁接触器を駆動することができる。
【図面の簡単な説明】
【００２０】
【図１】一実施形態による無停電電源装置の全体構成を示した図である。
【図２】一実施形態による無停電電源装置の電力変換器側切替部の構成を示した図である。
【図３】一実施形態による電力変換器側切替部の詳細な構成を示した図である。
【図４】一実施形態による電力変換器側切替部の切替方法を説明するためのタイムチャート図である。
【図５】一実施形態による無停電電源装置のバイパス側切替部の構成を示した図である。
【図６】一実施形態によるバイパス側切替部の詳細な構成を示した図である。
【図７】一実施形態によるバイパス側切替部の切替方法を説明するためのタイムチャート図である。
【発明を実施するための形態】
【００２１】
以下、本発明を具体化した実施形態を図面に基づいて説明する。
【００２２】
［実施形態］
図１〜図７を参照して、本実施形態による無停電電源装置１００（ＵＰＳ：Ｕｎｉｎｔｅｒｒｕｐｔｉｂｌｅ  Ｐｏｗｅｒ  Ｓｕｐｐｌｙ）の構成について説明する。
【００２３】
（無停電電源装置の構成）
まず、図１を参照して、無停電電源装置１００の概略の構成について説明する。図１に示すように、無停電電源装置１００は、交流電源部１を備える。交流電源部１は、主交流入力電源１ａと、バイパス交流入力電源１ｂと、を含む。また、無停電電源装置１００は、直流電力を蓄電する蓄電池２を備える。無停電電源装置１００の通常運転時には、主交流入力電源１ａから出力される交流電力が、無停電電源装置１００に接続されている負荷１０１に供給される。また、主交流入力電源１ａの停電時等においては、蓄電池２に蓄電されている電力が負荷１０１に供給されるバックアップ運転が行われる。また、後述するインバータ４の故障時等においては、バイパス交流入力電源１ｂから出力される交流電力が負荷１０１に供給される。主交流入力電源１ａ、バイパス交流入力電源１ｂ、および、蓄電池２は、それぞれ独立して電圧（電力）を供給可能に構成されている。これにより、無停電電源装置１００は、負荷１０１に対して無停電化する機能を有する。なお、蓄電池２は、特許請求の範囲の「蓄電部」の一例である。
【００２４】
詳細には、無停電電源装置１００は、整流器３と、インバータ４と、を備える。また、無停電電源装置１００には、チョッパ５が設けられている。整流器３、インバータ４、および、チョッパ５は、それぞれ、入力された入力電力を変換して出力電力を出力する電力変換回路として構成されている。そして、整流器３は、主交流入力電源１ａからの交流電力を直流電力に変換するように構成されている。インバータ４は、整流器３またはチョッパ５（蓄電池２）から供給された直流電力を、負荷１０１に適した交流電力に変換するように構成されている。すなわち、インバータ４は、無停電電源装置１００の通常運転時には、整流器３から供給された直流電力を交流電力に変換して出力する。また、インバータ４は、無停電電源装置１００のバックアップ運転時には、チョッパ５（蓄電池２）から供給された直流電力を交流電力に変換して出力する。なお、インバータ４は、特許請求の範囲の「電力変換器」の一例である。
【００２５】
チョッパ５は、蓄電池２からの電力（直流電力）を、インバータ４で利用可能な電圧に昇圧または降圧するとともに、昇圧または降圧した電力をインバータ４に供給するように構成されている。また、整流器３とインバータ４との間の直流中間部６には、直流電力（電圧）を平滑するためのコンデンサ６ａが設けられている。
【００２６】
また、無停電電源装置１００は、交流電源部１と負荷１０１との間に設けられる常時励磁式の電磁接触器７を備える。具体的には、電磁接触器７は、主交流入力電源１ａ（インバータ４）と負荷１０１との間に設けられる常時励磁式の電磁接触器７ａを含む。また、電磁接触器７は、バイパス交流入力電源１ｂと負荷１０１との間に設けられる常時励磁式の電磁接触器７ｂを含む。電磁接触器７ａおよび電磁接触器７ｂの各々は、励磁されることによりオンオフが切り替えられるように構成されている。具体的には、電磁接触器７ａおよび電磁接触器７ｂの各々は、励磁されることによりオン状態に切り替わるとともに、消磁されることによりオフ状態に切り替わるように構成されている。なお、電磁接触器７ａおよび電磁接触器７ｂは、それぞれ、特許請求の範囲の「第１電磁接触器」および「第２電磁接触器」の一例である。
【００２７】
ここで、本実施形態では、無停電電源装置１００は、切替部８を備える。具体的には、切替部８は、主交流入力電源１ａからの交流電圧（図１では交流入力電圧と表記）、または、インバータ４からの交流電圧（図１ではインバータ出力電圧と表記）のうちのいずれかによって電磁接触器７ａを励磁するかを切り替えるインバータ側切替部８ａを含む。なお、図１では、電磁接触器７ａに印加される電圧を電圧Ｖｍａと表記している。また、切替部８は、主交流入力電源１ａからの交流電圧、または、バイパス交流入力電源１ｂからの交流電圧（図１ではバイパス入力電圧と表記）のうちのいずれかによって電磁接触器７ｂを励磁するかを切り替えるバイパス側切替部８ｂを含む。なお、図１では、電磁接触器７ｂに印加される電圧を電圧Ｖｍｂと表記している。なお、切替部８およびインバータ側切替部８ａは、それぞれ、特許請求の範囲の「第１切替部」および「電力変換器側切替部」の一例である。また、主交流入力電源１ａからの交流電圧は、特許請求の範囲の「第１交流電圧」の一例である。また、インバータ側切替部８ａにおいて、インバータ４からの交流電圧は、特許請求の範囲の「第２交流電圧」の一例である。また、バイパス側切替部８ｂにおいて、バイパス交流入力電源１ｂからの交流電圧は、特許請求の範囲の「第２交流電圧」の一例である。
【００２８】
また、第１実施形態では、無停電電源装置１００は、切替部８と電磁接触器７との間の通電状態を切り替える通電切替部９を備える。具体的には、通電切替部９は、インバータ側切替部８ａと電磁接触器７ａとの間に設けられるインバータ側通電切替部９ａを含む。また、通電切替部９は、バイパス側切替部８ｂと電磁接触器７ｂとの間に設けられるバイパス側通電切替部９ｂを含む。なお、インバータ側通電切替部９ａおよびバイパス側通電切替部９ｂの各々は、ａ接点の機械式リレーである。なお、ａ接点のリレーとは、励磁されることによりオン状態になるリレーである。また、ｂ接点のリレーとは、励磁されることによりオフ状態になるリレーである。なお、通電切替部９は、特許請求の範囲の「第２切替部」の一例である。
【００２９】
また、主交流入力電源１ａと整流器３との間には、電磁接触器７０が設けられている。主交流入力電源１ａからの電力を負荷１０１に供給する通常動作時において、電磁接触器７０はオンされる。また、主交流入力電源１ａと直流中間部６とを直接（整流器３を介さないで）接続する配線上には、電磁接触器７１が設けられている。無停電電源装置１００の通常運転動作前において、電磁接触器７１をオン状態にすることによって、コンデンサ６ａに予め電力が充電される。なお、電磁接触器７０および電磁接触器７１はそれぞれ、常時励磁式の電磁接触器であり、主交流入力電源１ａの交流電圧により励磁される。
【００３０】
（インバータ側切替部の構成）
図２〜図４に基づいて、インバータ側切替部８ａの構成について以下に詳細に説明する。
【００３１】
図２に示すように、インバータ側切替部８ａは、１以上の切替リレーを含む。具体的には、インバータ側切替部８ａは、切替リレー１０と、切替リレー１１とを含む。切替リレー１０は、ｂ接点の機械式リレーである。切替リレー１０には、主交流入力電源１ａ（図１参照）からの交流電圧（交流入力電圧）が入力されている。また、切替リレー１１は、ａ接点の機械式リレーである。切替リレー１１には、インバータ４（図１参照）からの交流電圧（インバータ出力電圧）が入力されている。また、切替リレー１０および切替リレー１１の各々には、ヒューズ１０２およびトランス１０３を介して交流電圧が入力されている。なお、切替リレー１０および切替リレー１１は、それぞれ、特許請求の範囲の「第１切替リレー」および「第２切替リレー」の一例である。
【００３２】
ここで、本実施形態では、無停電電源装置１００（図１参照）は、切替リレー１０をオンするとともに切替リレー１１をオフすることによって、主交流入力電源１ａ（図１参照）の交流電圧により電磁接触器７ａを励磁するように構成されている。この場合、切替リレー１０および切替リレー１１の両方が消磁されている。具体的には、切替リレー１０をオンするとともに切替リレー１１をオフすることによって、主交流入力電源１ａの交流電圧が切替リレー１０を介してインバータ側通電切替部９ａに入力される。インバータ４の交流電圧は、オフ状態の切替リレー１１によって遮断されている。この場合、インバータ側通電切替部９ａがオン状態である場合には、主交流入力電源１ａの交流電圧が電磁接触器７ａに印加される。なお、インバータ側通電切替部９ａは、入力されるインバータ側通電切替部駆動信号によってオンオフが切り替えられる。
【００３３】
また、無停電電源装置１００は、切替リレー１０をオフするとともに切替リレー１１をオンすることによって、インバータ４（図１参照）の交流電圧により電磁接触器７ａ（図１参照）を励磁するように構成されている。この場合、切替リレー１０および切替リレー１１の両方が励磁されている。具体的には、切替リレー１０をオフするとともに切替リレー１１をオンすることによって、インバータ４の交流電圧が切替リレー１１を介してインバータ側通電切替部９ａに入力される。主交流入力電源１ａの交流電圧は、オフ状態の切替リレー１０によって遮断されている。この場合、インバータ側通電切替部９ａがオン状態である場合には、インバータ４の交流電圧が電磁接触器７ａに印加される。
【００３４】
また、インバータ側切替部８ａには、横流防止回路１２が設けられている。横流防止回路１２には、単一の駆動電圧切替信号Ｓ１が入力される。また、横流防止回路１２は、配線１０ａを介して切替リレー１０の操作コイル１０ｂと接続されている。また、横流防止回路１２は、配線１１ａを介して切替リレー１１の操作コイル１１ｂと接続されている。
【００３５】
ここで、本実施形態では、切替リレー１０および切替リレー１１は、共通の第１駆動電圧切替信号Ｓ１Lまたは共通の第２駆動電圧切替信号Ｓ１Hに基づいて駆動される。なお、第１駆動電圧切替信号Ｓ１LとはＬｏｗレベル状態の駆動電圧切替信号Ｓ１であり、第２駆動電圧切替信号Ｓ１HとはＨｉｇｈレベル状態の駆動電圧切替信号Ｓ１である。
【００３６】
そして、切替リレー１０は、第１駆動電圧切替信号Ｓ１Lに基づいて励磁されることによりオフするとともに、第２駆動電圧切替信号Ｓ１Hに基づいて消磁されることによりオンする。また、切替リレー１１は、第１駆動電圧切替信号Ｓ１Lに基づいて励磁されることによりオンするとともに、第２駆動電圧切替信号Ｓ１Hに基づいて消磁されることによりオフする。
【００３７】
具体的には、横流防止回路１２にＬｏｗレベルの信号（第１駆動電圧切替信号Ｓ１L）が入力された場合には、配線１０ａおよび操作コイル１０ｂに電流が流れ、切替リレー１０は励磁されるとともにオフする。この場合、配線１１ａおよび操作コイル１１ｂにも電流が流れ、切替リレー１１は励磁されるとともにオンする。また、横流防止回路１２にＨｉｇｈレベルの信号（第２駆動電圧切替信号Ｓ１H）が入力された場合には、配線１０ａおよび操作コイル１０ｂに電流が流れず、切替リレー１０は消磁されるとともにオンする。この場合、配線１１ａおよび操作コイル１１ｂにも電流が流れず、切替リレー１１は消磁されるとともにオフする。詳細は、図３に基づいて説明する。なお、図３では、簡略化のため、ヒューズ１０２（図２参照）およびトランス１０３（図２参照）は、図示を省略している。
【００３８】
図３に示すように、横流防止回路１２は、駆動電圧切替信号Ｓ１が入力されるバッファ回路１２ａを含む。バッファ回路１２ａは、ダイオード、抵抗、コンデンサ、および、半導体スイッチ（バイポーラトランジスタ）を含む回路である。
【００３９】
また、横流防止回路１２は、バッファ回路１２ａからの出力信号が入力される、ＲＣフィルタ１２ｂおよびＲＣフィルタ１２ｃを含む。ＲＣフィルタ１２ｂおよびＲＣフィルタ１２ｃの各々には、共通の信号がバッファ回路１２ａから入力されている。なお、ＲＣフィルタ１２ｂおよびＲＣフィルタ１２ｃの各々は、ダイオード、抵抗、および、コンデンサにより構成されている。
【００４０】
横流防止回路１２は、ＲＣフィルタ１２ｂからの出力信号が入力されるコンパレータ１２ｄを含む。また、横流防止回路１２は、ＲＣフィルタ１２ｃからの出力信号が入力されるコンパレータ１２ｅを含む。具体的には、ＲＣフィルタ１２ｂからの出力信号、および、ＲＣフィルタ１２ｃからの出力信号は、それぞれ、コンパレータ１２ｄの＋ピン、および、コンパレータ１２ｅの＋ピンに入力される。なお、コンパレータ１２ｄおよびコンパレータ１２ｅは、共通の構成を有している。
【００４１】
横流防止回路１２は、コンパレータ１２ｄからの出力信号がゲートに入力されるＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）１２ｆと、コンパレータ１２ｅからの出力信号がゲートに入力されるＭＯＳＦＥＴ１２ｇとを含む。ＭＯＳＦＥＴ１２ｆおよびＭＯＳＦＥＴ１２ｇは、共通の構成を有している。
【００４２】
ＭＯＳＦＥＴ１２ｆのゲートには、電圧Ｖ１が印加される。また、ＭＯＳＦＥＴ１２ｇのゲートには、電圧Ｖ２が印加される。ＭＯＳＦＥＴ１２ｆおよびＭＯＳＦＥＴ１２ｇの各々は、ソース側が接地されている。また、ＭＯＳＦＥＴ１２ｆのドレイン側は、配線１０ａおよび切替リレー１０（操作コイル１０ｂ）を介して直流電源１０５に接続されている。また、ＭＯＳＦＥＴ１２ｇのドレイン側は、配線１１ａおよび切替リレー１１（操作コイル１１ｂ）を介して直流電源１０５に接続されている。
【００４３】
駆動電圧切替信号Ｓ１がＬｏｗレベルである場合には、ＭＯＳＦＥＴ１２ｆのゲートに印加される電圧Ｖ１が所定の正電圧になり、ＭＯＳＦＥＴ１２ｆがオンされる。ＭＯＳＦＥＴ１２ｆがオンする場合、直流電源１０５から操作コイル１０ｂおよび配線１０ａを介して接地に電流が流れる。これにより、切替リレー１０は励磁される。
【００４４】
駆動電圧切替信号Ｓ１がＬｏｗレベルである場合には、ＭＯＳＦＥＴ１２ｇのゲートに印加される電圧Ｖ２が所定の正電圧になり、ＭＯＳＦＥＴ１２ｇがオンされる。ＭＯＳＦＥＴ１２ｇがオンする場合、直流電源１０５から操作コイル１１ｂおよび配線１１ａを介して接地に電流が流れる。これにより、切替リレー１１は励磁される。なお、ＭＯＳＦＥＴ１２ｆおよびＭＯＳＦＥＴ１２ｇの各々は、Ｎ型のＭＯＳＦＥＴである。
【００４５】
また、駆動電圧切替信号Ｓ１がＨｉｇｈレベルである場合には、電圧Ｖ１および電圧Ｖ２の各々が０Ｖ近傍の電圧値になり、ＭＯＳＦＥＴ１２ｆおよびＭＯＳＦＥＴ１２ｇの各々はオフされる。これにより、切替リレー１０（操作コイル１０ｂ）および切替リレー１１（操作コイル１１ｂ）の各々には電流が流れない。その結果、切替リレー１０および切替リレー１１の各々は消磁される。
【００４６】
ここで、本実施形態では、図４に示すように、切替リレー１０（図３参照）が第１駆動電圧切替信号Ｓ１L（Ｌｏｗレベルの駆動電圧切替信号Ｓ１）に基づいて励磁される時間ｔ１からずらし時間Δｔ１後に、切替リレー１１（図３参照）は第１駆動電圧切替信号Ｓ１Lに基づいて励磁されるように構成されている。具体的には、切替リレー１１は、第１駆動電圧切替信号Ｓ１Lに基づいて、時間ｔ１からずらし時間Δｔ１後である時間ｔ３において励磁される。なお、ＭＯＳＦＥＴ１２ｆ（ＭＯＳＦＥＴ１２ｇ）（図３参照）が電圧Ｖ１（電圧Ｖ２）によりオンされた時間を切替リレー１０（切替リレー１１）が励磁される時間としている。なお、ずらし時間Δｔ１は、特許請求の範囲の「所定の第１ずらし時間」の一例である。
【００４７】
詳細には、ＲＣフィルタ１２ｂ（図３参照）およびＲＣフィルタ１２ｃ（図３参照）は、ＲＣフィルタ１２ｂの時定数がＲＣフィルタ１２ｃの時定数よりも小さくなるように構成されている。これにより、ＲＣフィルタ１２ｂおよびＲＣフィルタ１２ｃの各々には、バッファ回路１２ａ（図３参照）から略同時に信号が入力されるので、ＲＣフィルタ１２ｂから信号が出力された後にＲＣフィルタ１２ｃから信号が出力される。すなわち、ＲＣフィルタ１２ｂから信号が出力される時間と、ＲＣフィルタ１２ｃから信号が出力される時間との間にずれが設けられる。その結果、切替リレー１０が励磁される時間ｔ１と切替リレー１１が励磁される時間ｔ３との間にずらし時間Δｔ１が設けられる。
【００４８】
また、切替リレー１０は、第１駆動電圧切替信号Ｓ１Lに基づいて励磁されることにより、時間ｔ２においてオフ状態に切り替わる。また、切替リレー１１は、第１駆動電圧切替信号Ｓ１Lに基づいて励磁されることにより、時間ｔ４においてオン状態に切り替わる。
【００４９】
すなわち、本実施形態では、切替リレー１０（図３参照）と切替リレー１１（図３参照）とは、主交流入力電源１ａからの交流電圧、または、主交流入力電源１ａからの交流電圧とは独立して供給可能なインバータ４からの交流電圧のうちのいずれかによって電磁接触器７ａ（図１参照）を励磁するかを切り替える際に、いずれもオフ状態となる期間が設定されている。具体的には、時間ｔ２から時間ｔ４までの間、切替リレー１０および切替リレー１１の両方がオフ状態になる。また、後述する、時間ｔ６から時間ｔ８までの間においても、切替リレー１０および切替リレー１１の両方がオフ状態になる。
【００５０】
ここで、本実施形態では、時間ｔ２と時間ｔ４との間の時間が、電磁接触器７ａ（図１参照）が励磁状態から消磁状態に変化してからオフ状態に切り替わるまでの復帰時間よりも短くなるように、ずらし時間Δｔ１は設定されている。
【００５１】
具体的には、電磁接触器７ａには、時間ｔ２から時間ｔ４までの間、電圧が印加されていない状態になる。また、電磁接触器７ａは、電圧が印加されなくなった時間から上記復帰時間後にオン状態からオフ状態に切り替わるように構成されている。したがって、時間（ｔ４−ｔ２）が、電磁接触器７ａの上記復帰時間よりも短くなるように構成されていることによって、電磁接触器７ａはオフ状態に切り替わらずオン状態が維持される。
【００５２】
また、本実施形態では、切替リレー１１が第２駆動電圧切替信号Ｓ１H（Ｈｉｇｈレベルの駆動電圧切替信号Ｓ１）に基づいて消磁される時間ｔ５からずらし時間Δｔ２後に、切替リレー１０は第２駆動電圧切替信号Ｓ１Hに基づいて消磁されるように構成されている。具体的には、切替リレー１０は、第２駆動電圧切替信号Ｓ１Hに基づいて、時間ｔ５からずらし時間Δｔ２後である時間ｔ７において消磁される。なお、ＭＯＳＦＥＴ１２ｆ（ＭＯＳＦＥＴ１２ｇ）がオフされた時間を切替リレー１０（切替リレー１１）が消磁される時間としている。なお、ずらし時間Δｔ２は、特許請求の範囲の「所定の第２ずらし時間」の一例である。
【００５３】
また、切替リレー１１は、第２駆動電圧切替信号Ｓ１Hに基づいて消磁されることにより、時間ｔ６においてオフ状態に切り替わる。また、切替リレー１０は、第２駆動電圧切替信号Ｓ１Hに基づいて消磁されることにより、時間ｔ８においてオン状態に切り替わる。
【００５４】
そして、時間ｔ６と時間ｔ８との間の時間が、上記電磁接触器７ａの復帰時間よりも短くなるように、ずらし時間Δｔ２は設定されている。
【００５５】
具体的には、電磁接触器７ａには、時間ｔ６から時間ｔ８までの間、電圧が印加されていない状態になる。したがって、時間（ｔ８−ｔ６）が、電磁接触器７ａの上記復帰時間よりも短くなるように構成されていることによって、電磁接触器７ａはオフ状態に切り替わらずオン状態が維持される。
【００５６】
なお、上記のように切替リレー１０および切替リレー１１を切り替えることによって、電磁接触器７ａには、時間ｔ２までは主交流入力電源１ａ（図１参照）の交流電圧が印加され、時間ｔ２〜ｔ４までは電圧が印加されない。そして、電磁接触器７ａには、時間ｔ４〜ｔ６まではインバータ４（図１参照）の交流電圧が印加され、時間ｔ６〜ｔ８までは電圧が印加されず、時間ｔ８以降は主交流入力電源１ａの交流電圧が印加される。
【００５７】
（バイパス側切替部の構成）
次に、図５〜図７に基づいて、バイパス側切替部８ｂの構成について以下に詳細に説明する。
【００５８】
図５に示すように、バイパス側切替部８ｂは、１以上の切替リレーを含む。具体的には、バイパス側切替部８ｂは、切替リレー１３と、切替リレー１４とを含む。切替リレー１３は、ｂ接点の機械式リレーである。切替リレー１３には、バイパス交流入力電源１ｂ（図１参照）からの交流電圧が入力されている。また、切替リレー１４は、ａ接点の機械式リレーである。切替リレー１４には、主交流入力電源１ａ（図１参照）からの交流電圧が入力されている。なお、切替リレー１３および切替リレー１４の各々には、ヒューズ１０２およびトランス１０３を介して交流電圧が入力されている。なお、切替リレー１３および切替リレー１４は、それぞれ、特許請求の範囲の「第１切替リレー」および「第２切替リレー」の一例である。
【００５９】
ここで、本実施形態では、無停電電源装置１００（図１参照）は、切替リレー１３をオンするとともに切替リレー１４をオフすることによって、バイパス交流入力電源１ｂの交流電圧により電磁接触器７ｂ（図１参照）を励磁するように構成されている。具体的には、切替リレー１３をオンするとともに切替リレー１４をオフすることによって、バイパス交流入力電源１ｂの交流電圧が切替リレー１３を介してバイパス側通電切替部９ｂに入力される。主交流入力電源１ａの交流電圧は、オフ状態の切替リレー１４によって遮断されている。この場合、バイパス側通電切替部９ｂがオン状態である場合には、バイパス交流入力電源１ｂの交流電圧が電磁接触器７ｂに印加される。なお、バイパス側通電切替部９ｂは、入力されるバイパス側通電切替部駆動信号によってオンオフが切り替えられる。
【００６０】
また、無停電電源装置１００（図１参照）は、切替リレー１３をオフするとともに切替リレー１４をオンすることによって、主交流入力電源１ａ（図１参照）の交流電圧により電磁接触器７ｂ（図１参照）を励磁するように構成されている。具体的には、切替リレー１３をオフするとともに切替リレー１４をオンすることによって、主交流入力電源１ａの交流電圧が切替リレー１４を介してバイパス側通電切替部９ｂに入力される。バイパス交流入力電源１ｂの交流電圧は、オフ状態の切替リレー１３によって遮断されている。この場合、バイパス側通電切替部９ｂがオン状態である場合には、主交流入力電源１ａの交流電圧が電磁接触器７ｂに印加される。
【００６１】
また、バイパス側切替部８ｂには、横流防止回路１５が設けられている。横流防止回路１５には、インバータ側切替部８ａに入力される駆動電圧切替信号Ｓ１とは異なる単一の駆動電圧切替信号Ｓ２が入力される。また、横流防止回路１５は、配線１３ａを介して切替リレー１３の操作コイル１３ｂと接続されている。また、横流防止回路１５は、配線１４ａを介して切替リレー１４の操作コイル１４ｂと接続されている。
【００６２】
ここで、本実施形態では、切替リレー１３および切替リレー１４は、共通の第１駆動電圧切替信号Ｓ２Lまたは共通の第２駆動電圧切替信号Ｓ２Hに基づいて駆動される。なお、第１駆動電圧切替信号Ｓ２LとはＬｏｗレベル状態の駆動電圧切替信号Ｓ２であり、第２駆動電圧切替信号Ｓ２HとはＨｉｇｈレベル状態の駆動電圧切替信号Ｓ２である。
【００６３】
そして、切替リレー１３は、第１駆動電圧切替信号Ｓ２Lに基づいて励磁されることによりオフするとともに、第２駆動電圧切替信号Ｓ２Hに基づいて消磁されることによりオンする。また、切替リレー１４は、第１駆動電圧切替信号Ｓ２Lに基づいて励磁されることによりオンするとともに、第２駆動電圧切替信号Ｓ２Hに基づいて消磁されることによりオフする。
【００６４】
図６に示すように、横流防止回路１５は、バッファ回路１５ａと、ＲＣフィルタ１５ｂと、ＲＣフィルタ１５ｃと、コンパレータ１５ｄと、コンパレータ１５ｅと、ＭＯＳＦＥＴ１５ｆと、ＭＯＳＦＥＴ１５ｇと、を含む。ＭＯＳＦＥＴ１５ｆのゲートには電圧Ｖ３が印加され、ＭＯＳＦＥＴ１５ｇのゲートには電圧Ｖ４が印加されている。なお、横流防止回路１５の構成および動作は、横流防止回路１２と共通であるので、詳細な説明は省略する。なお、図６では、簡略化のため、ヒューズ１０２（図５参照）およびトランス１０３（図５参照）は、図示を省略している。
【００６５】
ここで、本実施形態では、図７に示すように、切替リレー１３（図６参照）が第１駆動電圧切替信号Ｓ２L（Ｌｏｗレベルの駆動電圧切替信号Ｓ２）に基づいて励磁される時間ｔ１１からずらし時間Δｔ３後の時間ｔ１３において、切替リレー１４（図６参照）は第１駆動電圧切替信号Ｓ２Lに基づいて励磁されるように構成されている。なお、ずらし時間Δｔ３は、特許請求の範囲の「所定の第１ずらし時間」の一例である。
【００６６】
具体的には、ＲＣフィルタ１５ｂ（図６参照）およびＲＣフィルタ１５ｃ（図６参照）は、ＲＣフィルタ１５ｂの時定数がＲＣフィルタ１５ｃの時定数よりも小さくなるように構成されている。これにより、ＲＣフィルタ１５ｂから信号が出力される時間と、ＲＣフィルタ１５ｃから信号が出力される時間との間にずれが設けられる。その結果、切替リレー１３が励磁される時間ｔ１１と切替リレー１４が励磁される時間ｔ１３との間にずらし時間Δｔ３が設けられる。
【００６７】
また、切替リレー１３は、第１駆動電圧切替信号Ｓ２Lに基づいて励磁されることにより、時間ｔ１２においてオフ状態に切り替わる。また、切替リレー１４は、第１駆動電圧切替信号Ｓ２Lに基づいて励磁されることにより、時間ｔ１４においてオン状態に切り替わる。
【００６８】
すなわち、本実施形態では、切替リレー１３（図５参照）と切替リレー１４（図５参照）とは、主交流入力電源１ａからの交流電圧、または、主交流入力電源１ａからの交流電圧とは独立して供給可能なバイパス交流入力電源１ｂからの交流電圧のうちのいずれかによって電磁接触器７ｂ（図１参照）を励磁するかを切り替える際に、いずれもオフ状態となる期間が設定されている。具体的には、時間ｔ１２から時間ｔ１４までの間、切替リレー１３および切替リレー１４の両方がオフ状態になる。また、後述する、時間ｔ１６から時間ｔ１８までの間においても、切替リレー１３および切替リレー１４の両方がオフ状態になる。
【００６９】
ここで、本実施形態では、時間ｔ１２と時間ｔ１４との間の時間が、電磁接触器７ｂ（図１参照）が励磁状態から消磁状態に変化してからオフ状態に切り替わるまでの復帰時間よりも短くなるように、ずらし時間Δｔ３は設定されている。
【００７０】
また、本実施形態では、切替リレー１４が第２駆動電圧切替信号Ｓ２H（Ｈｉｇｈレベルの駆動電圧切替信号Ｓ２）に基づいて消磁される時間ｔ１５からずらし時間Δｔ４後の時間ｔ１７において、切替リレー１３は第２駆動電圧切替信号Ｓ２Hに基づいて消磁されるように構成されている。なお、ずらし時間Δｔ４は、特許請求の範囲の「所定の第２ずらし時間」の一例である。
【００７１】
また、切替リレー１４は、第２駆動電圧切替信号Ｓ２Hに基づいて消磁されることにより、時間ｔ１６においてオフ状態に切り替わる。また、切替リレー１３は、第２駆動電圧切替信号Ｓ２Hに基づいて消磁されることにより、時間ｔ１８においてオン状態に切り替わる。
【００７２】
そして、時間ｔ１６と時間ｔ１８との間の時間が、上記電磁接触器７ｂの復帰時間よりも短くなるように、ずらし時間Δｔ４は設定されている。
【００７３】
なお、上記のように切替リレー１３および切替リレー１４を切り替えることによって、電磁接触器７ｂには、時間ｔ１２まではバイパス交流入力電源１ｂ（図１参照）の交流電圧が印加され、時間ｔ１２〜ｔ１４までは電圧が印加されない。そして、電磁接触器７ｂには、時間ｔ１４〜ｔ１６までは主交流入力電源１ａ（図１参照）の交流電圧が印加され、時間ｔ１６〜ｔ１８までは電圧が印加されず、時間ｔ１８以降はバイパス交流入力電源１ｂの交流電圧が印加される。
【００７４】
（本実施形態の効果）
本実施形態では、以下のような効果を得ることができる。なお、以下では、インバータ側切替部８ａに関する効果とバイパス側切替部８ｂに関する効果とにおいて共通している効果は、インバータ側切替部８ａにおける効果のみを記載する。
【００７５】
本実施形態では、上記のように、主交流入力電源１ａと、主交流入力電源１ａと負荷１０１との間に設けられ、励磁されることによりオンオフが切り替えられる電磁接触器７ａと、主交流入力電源１ａの交流電圧、または、主交流入力電源１ａの交流電圧とは独立して供給可能なインバータ４の交流電圧のうちのいずれかによって電磁接触器７ａを励磁するかを切り替えるインバータ側切替部８ａと、を備えるように、無停電電源装置１００を構成する。これにより、停電等により、主交流入力電源１ａの交流電圧による電磁接触器７ａへの電圧供給ができなくなった場合でも、蓄電池２の電力を用いて出力されるインバータ４の交流電圧により電磁接触器７ａへの電圧供給を行うことができる。その結果、停電等の異常発生時において、主交流入力電源１ａの交流電圧による電磁接触器７ａへの電圧供給ができなくなった場合でも、適切に電磁接触器７ａを駆動（励磁）することができる。
【００７６】
また、一般的に、電磁接触器７ａはインバータ４の定格電圧と同程度の電圧で駆動する（オンする）ように構成されている場合がある。この場合において、電磁接触器７ａにインバータ４の交流電圧のみが入力されるように構成されている場合、たとえばインバータ４の起動時または復帰時等において、インバータ４が定格電圧まで昇圧されてから電磁接触器７ａが駆動する（オンする）ので、電磁接触器７ａが駆動した瞬間に負荷１０１にインバータ４の定格電圧が印加されることになる。この場合、負荷１０１は、電圧が印加されていない状態から、比較的大きいインバータ４の定格電圧が印加される状態に瞬間的に変化するため、負荷１０１に突入電流が流れる場合がある。したがって、インバータ側切替部８ａにより、主交流入力電源１ａの交流電圧、または、インバータ４の交流電圧のうちのいずれかによって電磁接触器７ａを励磁するかを切り替えることによって、主交流入力電源１ａの交流電圧により電磁接触器７ａを駆動した状態でインバータ４を昇圧することができる。これにより、電磁接触器７ａをオンさせた状態で負荷１０１に印加する電圧を徐々に昇圧することができるので、負荷１０１に突入電流が流れるのを抑制することができる。
【００７７】
また、本実施形態では、上記のように、インバータ側切替部８ａは、切替リレー１０と、切替リレー１１とを含み、切替リレー１０をオンするとともに切替リレー１１をオフすることによって、主交流入力電源１ａの交流電圧により電磁接触器７ａを励磁する。そして、切替リレー１０をオフするとともに切替リレー１１をオンすることによって、インバータ４の交流電圧により電磁接触器７ａを励磁するように、無停電電源装置１００を構成する。これにより、切替リレー１０および切替リレー１１によって、主交流入力電源１ａの交流電圧およびインバータ４の交流電圧のうちのいずれかによって電磁接触器７ａを駆動（励磁）するかを容易に切り替えることができる。
【００７８】
また、本実施形態では、上記のように、切替リレー１０および切替リレー１１が、共通の第１駆動電圧切替信号Ｓ１Lまたは共通の第２駆動電圧切替信号Ｓ１Hに基づいて駆動される。また、切替リレー１０が、第１駆動電圧切替信号Ｓ１Lに基づいて励磁されることによりオフとともに、第２駆動電圧切替信号Ｓ１Hに基づいて消磁されることによりオンする。そして、切替リレー１１が、第１駆動電圧切替信号Ｓ１Lに基づいて励磁されることによりオンするとともに、第２駆動電圧切替信号Ｓ１Hに基づいて消磁されることによりオフするように、無停電電源装置１００を構成する。これにより、共通の第１駆動電圧切替信号Ｓ１Lまたは共通の第２駆動電圧切替信号Ｓ１Hに基づいて、切替リレー１０および切替リレー１１のうちのいずれか一方をオンするとともに他方をオフすることができる。その結果、切替リレー１０および切替リレー１１のそれぞれを別個の駆動電圧切替信号に基づいて制御する場合に比べて、切替リレー１０および切替リレー１１の切り替え制御を簡略化することができる。
【００７９】
また、本実施形態では、上記のように、切替リレー１０が第１駆動電圧切替信号Ｓ１Lに基づいて励磁される時間ｔ１からずらし時間Δｔ１後に、切替リレー１１が第１駆動電圧切替信号Ｓ１Lに基づいて励磁されるように、無停電電源装置１００を構成する。ここで、一般的に、励磁されてからオンオフが切り替わるまでにかかる時間には、切替リレー間で個体差がある。たとえば、ずらし時間Δｔ１が設けられていない場合で、かつ、切替リレー１０が第１駆動電圧切替信号Ｓ１Lに基づいて励磁されてからオフされるまでの時間が、切替リレー１１が第１駆動電圧切替信号Ｓ１Lに基づいて励磁されてからオンされるまでの時間よりも長い場合において、切替リレー１０および切替リレー１１の両方がオン状態になる時間が生じる。したがって、ずらし時間Δｔ１が設けられることによって、切替リレー１０および切替リレー１１の両方がオン状態になるのを抑制することができる。これにより、主交流入力電源１ａとインバータ４とが短絡して横流が流れるのを抑制することができる。
【００８０】
また、本実施形態では、上記のように、切替リレー１０が第１駆動電圧切替信号Ｓ１Lに基づいて励磁されることによりオフ状態に切り替わる時間ｔ２と、切替リレー１１が第１駆動電圧切替信号Ｓ１Lに基づいて励磁されることによりオン状態に切り替わる時間ｔ４との間の時間が、電磁接触器７ａが励磁状態から消磁状態に変化してからオフ状態に切り替わるまでの復帰時間よりも短くなるように、ずらし時間Δｔ１を設定する。ここで、切替リレー１０がオフ状態に切り替わる時間と切替リレー１１がオン状態に切り替わる時間との間において、電磁接触器７ａには電圧が印加されていない状態（消磁状態）になる。すなわち、切替リレー１０がオフ状態に切り替わる時間と切替リレー１１がオン状態に切り替わる時間との間の時間が上記復帰時間よりも長い場合には、切替リレー１１がオン状態に切り替わる時点において電磁接触器７ａはオフ状態になっている。したがって、切替リレー１０がオフ状態に切り替わる時間ｔ２と切替リレー１１がオン状態に切り替わる時間ｔ４との間が上記復帰時間よりも短くなるようにずらし時間Δｔ１を設定することによって、切替リレー１１がオン状態に切り替わる時点において電磁接触器７ａがオフ状態になるのを抑制することができる。これにより、電磁接触器７ａのオンオフ状態をより適切に制御することができるので、負荷１０１への電力供給をより適切に行うことができる。
【００８１】
また、本実施形態では、上記のように、切替リレー１１が第２駆動電圧切替信号Ｓ１Hに基づいて消磁される時間ｔ５からずらし時間Δｔ２後に、切替リレー１０が第２駆動電圧切替信号Ｓ１Hに基づいて消磁されるように、無停電電源装置１００を構成する。ここで、一般的に、消磁されてからオンオフが切り替わるまでにかかる時間には、切替リレー間で個体差がある。たとえば、ずらし時間Δｔ２が設けられていない場合で、かつ、切替リレー１１が第２駆動電圧切替信号Ｓ１Hに基づいて消磁されてからオフされるまでの時間が、切替リレー１０が第２駆動電圧切替信号Ｓ１Hに基づいて消磁されてからオンされるまでの時間よりも長い場合において、切替リレー１０および切替リレー１１の両方がオン状態になる時間が生じる。したがって、ずらし時間Δｔ２が設けられることによって、切替リレー１０および切替リレー１１の両方がオン状態になるのを抑制することができる。
【００８２】
また、本実施形態では、上記のように、切替リレー１０と切替リレー１１とが、主交流入力電源１ａの交流電圧、または、主交流入力電源１ａの交流電圧とは独立して供給可能なインバータ４の交流電圧のうちのいずれかによって電磁接触器７ａを励磁するかを切り替える際に、いずれもオフ状態となる期間が設定されるように、無停電電源装置１００を構成する。これにより、切替リレー１０および切替リレー１１の両方がオン状態になるのを容易に抑制することができるので、主交流入力電源１ａとインバータ４とが短絡して横流が流れるのを容易に抑制することができる。
【００８３】
また、本実施形態では、上記のように、インバータ側切替部８ａと電磁接触器７ａとの間の通電状態を切り替えるインバータ側通電切替部９ａを備えるように、無停電電源装置１００を構成する。これにより、インバータ側通電切替部９ａのオンオフを制御することにより、電磁接触器７ａの状態（励磁状態または消磁状態）を容易に切り替えることができる。また、インバータ側通電切替部９ａにより、電磁接触器７ａの駆動（励磁状態）を制御する回路（インバータ側切替部８ａ）と無停電電源装置１００の主回路とをより確実に絶縁することができる。
【００８４】
また、本実施形態では、上記のように、切替部８が、主交流入力電源１ａからの交流電圧、または、インバータ４からの交流電圧のうちのいずれかによって電磁接触器７ａを励磁するかを切り替えるインバータ側切替部８ａと、主交流入力電源１ａからの交流電圧、または、バイパス交流入力電源１ｂからの交流電圧のうちのいずれかによって電磁接触器７ｂを励磁するかを切り替えるバイパス側切替部８ｂとを含むように、無停電電源装置１００を構成する。これにより、停電等の異常発生時において、主交流入力電源１ａの交流電圧による電磁接触器７ａへの電圧供給ができなくなった場合でも、インバータ側切替部８ａにより適切に電磁接触器７ａを駆動（励磁）することができる。さらに、バイパス側切替部８ｂにより、バイパス交流入力電源１ｂと電磁接触器７ｂとの間の配線間に異常があり、バイパス交流入力電源１ｂの交流電圧が電磁接触器７ｂに印加されない場合において、主交流入力電源１ａからの交流電圧により電磁接触器７ｂを駆動（励磁）することができる。具体的には、バイパス交流入力電源１ｂの交流電圧が入力されている切替リレー１３側に設けられているヒューズ１０２が飛んだ（切れた）場合には、バイパス交流入力電源１ｂから正常に交流電圧が出力されているにもかかわらず、電磁接触器７ｂにバイパス交流入力電源１ｂの交流電圧を印加することができない。このような場合において、切替リレー１３をオフするとともに切替リレー１４をオンすることにより、主交流入力電源１ａの交流電圧により、電磁接触器７ｂを駆動（励磁）することができる。
【００８５】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８６】
たとえば、上記実施形態では、第１切替リレー（切替リレー１０（１３））、および、第２切替リレー（切替リレー１１（１４））の各々が機械式リレーである例を示したが、本発明はこれに限られない。たとえば、第１切替リレー（切替リレー１０（１３））、および、第２切替リレー（切替リレー１１（１４））の各々は、フォトモスリレー（励磁された際の発光に基づいて駆動するリレー）であってもよい。
【００８７】
また、上記実施形態では、電力変換器側切替部（インバータ側切替部８ａ）において、第１切替リレー（切替リレー１０）がｂ接点のリレーであるとともに、第２切替リレー（切替リレー１１）がａ接点のリレーである例を示したが、本発明はこれに限られない。たとえば、第１切替リレー（切替リレー１０）がａ接点のリレーであるとともに、第２切替リレー（切替リレー１１）がｂ接点のリレーであってもよい。また、バイパス側切替部においても、第１切替リレー（切替リレー１３）がａ接点のリレーであるとともに、第２切替リレー（切替リレー１４）がｂ接点のリレーであってもよい。
【００８８】
また、上記実施形態では、電力変換器側切替部（インバータ側切替部８ａ）とバイパス側切替部とが設けられている例を示したが、本発明はこれに限られない。たとえば、電力変換器側切替部（インバータ側切替部８ａ）およびバイパス側切替部のうちのいずれか一方だけが設けられていてもよい。
【００８９】
また、上記実施形態では、電磁接触器（電磁接触器７ａ、電磁接触器７ｂ）は、電圧が印加されることによりオンされるように構成されている例を示したが、本発明はこれに限られない。たとえば、電磁接触器（電磁接触器７ａ、電磁接触器７ｂ）は、電圧が印加されることによりオフされるように構成されていてもよい。
【００９０】
また、上記実施形態では、電磁接触器（電磁接触器７ａ、電磁接触器７ｂ）が、常時励磁式の電磁接触器である例を示したが、本発明はこれに限られない。たとえば、電磁接触器（電磁接触器７ａ、電磁接触器７ｂ）は、ラッチ式の電磁接触器であってもよい。なお、ラッチ式の電磁接触器とは、励磁された後は投入状態が機械的に保持される電磁接触器である。また、電磁接触器７０および電磁接触器７１がラッチ式の電磁接触器であってもよい。
【００９１】
また、上記実施形態では、電力変換器側切替部（インバータ側切替部８ａ）およびバイパス側切替部の各々が、２つの切替リレーを含む例を示したが、本発明はこれに限られない。たとえば、電力変換器側切替部（インバータ側切替部８ａ）およびバイパス側切替部の各々が、１つ、または、３つ以上の切替リレーを含んでいてもよい。
【符号の説明】
【００９２】
１  交流電源部
１ａ  主交流入力電源
１ｂ  バイパス交流入力電源
２  蓄電池（蓄電部）
３  整流器
４  インバータ（電力変換器）
７  電磁接触器
７ａ  電磁接触器（第１電磁接触器）
７ｂ電磁接触器（第２電磁接触器）
８  切替部（第１切替部）
８ａ  インバータ側切替部（電力変換器側切替部）
８ｂ  バイパス側切替部
９  通電切替部（第２切替部）
９ａ  インバータ側通電切替部
９ｂ  バイパス側通電切替部
１０、１３  切替リレー（第１切替リレー）
１１、１４  切替リレー（第２切替リレー）
１００  無停電電源装置
１０１  負荷
Ｓ１L、Ｓ２L  第１駆動電圧切替信号
Ｓ１H、Ｓ２H  第２駆動電圧切替信号
ｔ１、ｔ１１  時間（第１切替リレーが励磁される時間）
ｔ２、ｔ１２  時間（第１切替リレーがオフ状態に切り替わる時間）
ｔ３、ｔ１３  時間（第２切替リレーが励磁される時間）
ｔ４、ｔ１４  時間（第２切替リレーがオン状態に切り替わる時間）
ｔ５、ｔ１５  時間（第２切替リレーが消磁される時間）
Δｔ１、Δｔ３  ずらし時間（所定の第１ずらし時間）
Δｔ２、Δｔ４  ずらし時間（所定の第２ずらし時間）
【図１】
2019033588.tif 000003
【図２】
2019033588.tif 000004
【図３】
2019033588.tif 000005
【図４】
2019033588.tif 000006
【図５】
2019033588.tif 000007
【図６】
2019033588.tif 000008
【図７】
2019033588.tif 000009